(57)【要約】【課題】所定光源以外の光源が装着された場合でも、光源の冷却不足を回避し、光源を安全に動作させる。【解決手段】装着された光源を冷却する光源冷却ファン２３と、装着された光源及び／又はリフレクタが所定の光源及び／又はリフレクタであるか否かを判別する判別部４０と、判別部４０による判別結果に基づいてファン２３を制御するファン制御部４２とを有し、制御部４２は、装着された光源及び／又はリフレクタが所定の光源及び／又はリフレクタではないと判別されると、該光源がより強く冷却されるようにファン２３を制御する。【選択図】図５
2007286550.tif 000002
【特許請求の範囲】
【請求項１】
光源及び該光源から発せられた光を集光するリフレクタの双方または一方を交換可能な投写型表示装置であって、
装着された光源を冷却する冷却手段と、
装着された光源及び／又はリフレクタが所定の光源及び／又はリフレクタであるか否かを判別する判別手段と、
前記判別手段による判別結果に基づいて前記冷却手段を制御する制御手段と、を有し、
前記制御手段は、前記判別手段によって、装着された光源及び／又はリフレクタが所定の光源及び／又はリフレクタではないと判別されると、該光源がより強く冷却されるように前記冷却手段を制御する投写型表示装置。
【請求項２】
前記判別手段は、装着された光源から発せられた光のスペクトルに基づいて、該光源が所定の光源であるか否かを判別する請求項１記載の投写型表示装置。
【請求項３】
前記判別手段は、装着された光源から発せられ、リフレクタを透過した光のスペクトルに基づいて、該光源及び／又は該リフレクタが所定の光源及び／又はリフレクタであるか否かを判別する請求項１記載の投写型表示装置。
【請求項４】
前記判別手段は、装着された光源及び／又はリフレクタに設けられている磁石の磁力によってオン又はオフされるスイッチを有し、前記スイッチがオン状態であるかオフ状態であるかに基づいて、装着された光源及び／又は該リフレクタが所定の光源及び／又はリフレクタであるか否かを判別する請求項１記載の投写型表示装置。
【請求項５】
前記判別手段は、装着された光源及び／又はリフレクタに設けられているＩＣチップに格納されている情報を読み出す読み出し手段を有し、読み出された情報に基づいて、装着された光源及び／又は該リフレクタが所定の光源及び／又はリフレクタであるか否かを判別する請求項１記載の投写型表示装置。
【発明の詳細な説明】
【技術分野】
【０００１】
本発明は投写型表示装置に関し、特に、投写型表示装置が備える光源をより安全に動作させるための技術に関する。
【背景技術】
【０００２】
投写型表示装置は、光源から出射された光を変調し、変調された光を結像光学系を介してスクリーン上に投射することによって、スクリーン上に画像を表示する。ここで、上記光源には、ハロゲンランプ、キセノンランプ、メタルハライドランプ、超高圧水銀ランプといった高圧放電ランプ（以下「ランプ」と略す場合もある）が用いられている。これら高圧放電ランプは、発光管、口金、リード線、電極を主要部材とする。さらに、発光管内には、放電ガスその他の必要物質が封入されているとともに、２００気圧程度に加圧されている。従って、経年劣化その他によって発光管が万一破裂すると、その破片や封入物質（超高圧水銀ランプであれば水銀）が周囲に飛散する虞がある。そこで、光源がその寿命に達する前、または光源に何らかの不具合が生じた時に、光源の交換を促したり、光源を強制的に消灯させたりして、安全性の確保を図っている。
【０００３】
例えば、特許文献１には、光源の点灯時間を積算し、積算時間が一定時間に到達したときに、光源の駆動電源を自動的にオフする技術が開示されている。また、特許文献２には、光源ランプの交換時に、交換された光源ランプの駆動条件を取得又は決定し、それをプロジェクタ内に設定することによって、交換された光源ランプに適した条件で該ランプを駆動する技術が開示されている。また、特許文献３には、光源ランプの電極間電圧を検出し、検出された電圧を初期値と比較し、その差が所定値を超えた時に光源ランプを消灯することによって、光源ランプが寿命によって破裂することを未然に防止する技術が開示されている。
【０００４】
上記のように、投写型表示装置の光源の安全性を確保するための技術が多数提案されている。しかし、光源の寿命や不具合の発生には、その使用環境が大きく影響する。特に、高圧放電ランプは、その点灯時に大量の熱を発し、発光管の温度は１０００度以上の高温となるので、ランプを冷却しないと、ランプ寿命が著しく短くなったり、熱によってランプ各部に歪みが発生したりする。従って、投写型表示装置には、光源を冷却するための冷却機構が必須であり、現在、空冷式の冷却機構が広く採用されている。もっとも、１０kW程度の大電力のキセノンランプを光源とする投写型表示装置などでは、液冷式の冷却機構が採用されることもある。
【特許文献１】特開平０４−５６２２号公報
【特許文献２】特開２００４−８５７４９号公報
【特許文献３】特開２００５−１２８４０２号公報
【発明の開示】
【発明が解決しようとする課題】
【０００５】
上記の通り、ほぼ全ての投写型表示装置は光源を冷却するための冷却機構を備えている。しかし、その冷却機構の冷却能力や作動条件などは、所定の光源を前提に定められたものである。具体的には、冷却機構の冷却能力や作動条件などは、工場出荷時に搭載される光源の発熱量や使用環境などに基づいて決定され、その能力や条件を満たす冷却機構が搭載される。しかしながら、寿命に達する前に光源の交換を促す技術が提案されていることからも明らかなように、光源は消耗品であり、必要に応じて交換が行われる。この交換の際、工場出荷時に搭載されていた光源と同一の光源に交換されるとは限らない。例えば、当該投写型表示装置の生産者や生産者から許諾を得た者によって市場に供給される光源（いわゆる正規品）以外の光源に交換される可能性もある。
【０００６】
さらに、投写型表示装置に用いられる光源は、該光源から出射された光を集光するためのリフレクタとともにハウジング内に収容されユニット化されていることが多く、ユニットごと光源を交換する必要が生ずることも多々ある。このような場合、リフレクタの形状、リフレクタ内面の反射膜の膜厚および反射率、さらには反射／透過スペクトルなどが工場出荷時に搭載されているリフレクタのそれらとは異なるリフレクタに交換される虞がある。例えば、当該投写型表示装置の生産者や生産者から許諾を得た者によって市場に供給されるユニット（いわゆる正規品）以外のユニットに交換された結果、所定のリフレクタ以外のリフレクタが装着される場合もある。そして、所定のリフレクタ以外のリフレクタが装着されると、光源に供給される冷却風の風速や流路、リフレクタからの輻射熱や熱容量が変化する虞がある。特に、所定のリフレクタがコールドタイプであるのに対し、交換されたリフレクタがコールドタイプではない場合、赤外線が光源に再反射して光源が過熱する虞がある。
【０００７】
以上のように、所定の光源やリフレクタ以外の光源やリフレクタが装着されると、冷却条件が冷却機構設計時に想定した範囲を逸脱し、光源が冷却不足に陥る虞があり、冷却不足のまま光源を使用し続けると、光源の寿命が著しく短くなったり、発光管が破裂する危険性が高まったりする。
【０００８】
本発明は、上記課題に鑑みてなされたものであり、所定の光源やリフレクタ以外の光源やリフレクタが装着された場合にも冷却不足を生じることなく、安全に動作する投写型表示装置を提供することを目的とする。
【課題を解決するための手段】
【０００９】
上記目的を達成する本発明の投写型表示装置は、装着されている光源やリフレクタが所定の光源やリフレクタであるか否かを判別する判別手段を有し、光源などが所定のものではないと判別された場合には、光源をより強く冷却する。判別手段は、装着されている光源やリフレクタが所定の光源などと同一であることまでを確認する必要はなく、少なくとも所定の光源やリフレクタではないことを確認すれば足りる。何故なら、所定の光源やリフレクタ以外が装着された場合には、発熱量が当該投写型表示装置に搭載されている冷却手段の冷却能力を超え、冷却不足になる虞がある。もちろん、冷却不足にならない可能性もある。しかし、冷却不足になる虞が生じた場合に、光源をより強く冷却することによって、冷却不足を確実に回避することができるからである。ここで、「光源をより強く冷却する」とは、光源をより冷やす方向の冷却を意味する。具体的には、空冷式の冷却手段を備えている場合には、冷却風の風量や流量を増加させたり、冷却風の温度を下げたりすることなどを意味する。また、液冷式の冷却手段を備えている場合には、冷却液の温度を下げたり、流量を増加させたりすることなどを意味する。また、冷却手段を複数備えている場合には、作動させる冷却手段の数を増やすことなどを意味する。
【００１０】
本発明において光源やリフレクタが所定の光源やリフレクタであるか否かを判別する方法としては、次のような方法が挙げられる。
（第１の方法）
超高圧水銀ランプの分光分布はランプに封入された水銀の量に依存し、水銀量が多いほど（水銀圧力が高いほど）、連続スペクトルの放射が増え、輝線スペクトルの半値幅が大きくなる。この水銀量は超高圧水銀ランプのベンダーやその種類に依存している。そこで、所定の超高圧水銀ランプの分光分布における特徴的な波長を捉え、その波長における光量を測定することによってランプの判別が可能である。具体的には、ランプから発せられた光を特定波長の光のみを透過させるフィルタを介して半導体受光素子で受光すると、その特定波長の光の強度が分かる。この方法によって、必要な波長分の光強度を測定すると、そのランプの分光分布が分かり、この分光分布に基づいてランプを判別することができる。
（第２の方法）
一般的な投写型表示装置は、光源から発せられた光を集光するためのコールドリフレクタを備えている。コールドリフレクタとは赤外線を透過し、可視光を反射する反射膜をその内面に有するリフレクタのことである。光源から発せられた光はリフレクタを透過し、その透過光はリフレクタ反射膜の透過率の波長依存性を反映する。通常、反射膜は多層膜で構成されており、その膜構成は製造メーカにより異なり、可視光領域の反射スペクトルには大差はないが、赤外領域や紫外領域の透過率は大きく異なる場合が多い。そこで、リフレクタを透過した光（透過光）のスペクトルを比較することにより、光源やリフレクタの判別が可能である。
（第３の方法）
光源側に設けられた磁石の磁力によってオンまたはオフされるスイッチを設けることによって、スイッチがオン状態かオフ状態かによって光源やリフレクタを判別することができる。
（第４の方法）
光源側に情報を持たせ、その情報を装置側で読み取ることによって、光源やリフレクタを判別することができる。光源に情報を持たせる手段としては、情報が格納された不揮発性半導体メモリやＲＦＩＤ（Radio Frequency Identification）チップなどを光源側に設けることで実現できる。このとき、これらの情報を暗号化しておけば、識別情報の偽造を効果的に防止することができる。
【００１１】
本発明の投写型表示装置は、上記第１〜第４のいずれか１つ又は２以上の方法に基づいて光源やリフレクタを判別する判別手段を有することを特徴とする。具体的には、本発明の第一の投写型表示装置は、光源及び該光源から発せられた光を集光するリフレクタの双方または一方を交換可能な投写型表示装置であって、装着された光源を冷却する冷却手段と、装着された光源及び／又はリフレクタが所定の光源及び／又はリフレクタであるか否かを判別する判別手段と、前記判別手段による判別結果に基づいて前記冷却手段を制御する制御手段とを有し、前記制御手段は、前記判別手段によって、装着された光源及び／又はリフレクタが所定の光源及び／又はリフレクタではないと判別されると、該光源がより強く冷却されるように前記冷却手段を制御する。
【００１２】
本発明の第二の投写型表示装置は、装着された光源から発せられた光のスペクトルに基づいて、該光源が所定の光源であるか否かを判別する判別手段を有する。
【００１３】
本発明の第三の投写型表示装置は、装着された光源から発せられ、リフレクタを透過した光のスペクトルに基づいて、該光源及び／又は該リフレクタが所定の光源及び／又はリフレクタであるか否かを判別する判別手段を有する。
【００１４】
本発明の第四の投写型表示装置は、装着された光源に設けられている磁石の磁力によってオン又はオフされるスイッチを備え、前記スイッチがオン状態であるかオフ状態であるかに基づいて、装着された光源及び／又は該リフレクタが所定の光源及び／又はリフレクタであるか否かを判別する判別手段を有する。
【００１５】
本発明の第五の投写型表示装置は、装着された光源に設けられているＩＣチップに格納されている情報を読み出す読み出し手段を備え、読み出された情報に基づいて、装着された光源及び／又は該リフレクタが所定の光源及び／又はリフレクタであるか否かを判別する判別手段を有する。
【発明の効果】
【００１６】
本明の投写型表示装置によれば、所定の光源やリフレクタ以外の光源やリフレクタが装着された場合、光源がより強く冷却されるので、光源の冷却不足が回避され、投写型表示装置の安全性がより一層向上する。
【発明を実施するための最良の形態】
【００１７】
（実施形態１）
以下、本発明の投写型表示装置の実施形態の一例について説明する。図１は、本例の投写型表示装置の内部構造を示す平面図である。この投写型表示装置は、筐体１０と、該筐体１０内に収容された光源ユニット２１を含む光学エンジン２０（図中、点線で囲まれた部分）、電気部品、機械部品などから構成されている。
【００１８】
図２は、光学エンジン２０とその周辺に配置される構成部品の一部を示した拡大図である。光学エンジン２０は、オプトベース２２に、光源ユニット２１、インテグレータ（不図示）、色分離手段（不図示）、光源冷却ファン２３、光学素子２４、画像形成素子２５、投写レンズ２６などを配置したものである。もっとも、光源冷却ファン２３は、オプトベース２２に固定せず、筐体１０その他に固定してもよい。
【００１９】
画像形成素子２５は、画素に対応した多数の微小ミラーを備えたデジタルマイクロミラー素子（ＤＭＤ素子）である。画像形成素子２５には、光源ユニット１から発せられ、上記色分離手段によって時分割で色分離された光が照射される。
【００２０】
光源ユニット２１は、ランプ、リフレクタ、ランプハウジングなどから構成されている。ランプには220[W]の超高圧水銀ランプが用いられている。このランプは、リフレクタと一体化され、ランプハウジングに納められている。さらに、光源ユニット２１には不図示の電源コネクタが設けられている。一方、オプトベース２２側にも光源ユニット２１の電気コネクタと相対する位置にコネクタが設けられており、光源ユニット２１をオプトベース２２に装着すると、両コネクタが接続され、ランプに電力が供給される。
【００２１】
ここで、ランプは消耗品であるので、光源ユニット２１は光学エンジン２０（オプトベース２２）に対して着脱可能となっている。即ち、光源ユニット２１ごとランプを交換可能となっている。図３は、光源ユニット２１が光学エンジン２０に装着される様子を示した図である。光源ユニット２１は、オプトベース２２の下方から該ベース２２に形成されている収容部２２ａに着脱可能である。さらに、オプトベース２２の収容部２２ａには側面窓２２ｂが設けられており、ランプが点灯すると、その光の一部（リフレクタの透過光ではない光）が側面窓２２ｂから出射される。
【００２２】
図４に示すように、側面窓２２ｂの外側には、光源センサ３０が配置されており、側面窓２２ｂから出射する光のスペクトルを求めることが可能となっている。光源センサ３０の構成を図５に示す。光源センサ３０は、３つの光センサ（光センサ３１、３２、３３）から構成されている。各光センサ３１、３２、３３の受光部には、波長選択フィルタ（光学フィルタ）が設けられており、それぞれ異なる波長の光が検出されるようになっている。具体的には、光センサ３１の受光部には、カット波長が490[nm]の光学ローパス・フィルタ（青透過フィルタ）が設けられている。また、光センサ３３の受光部には、カット波長が590[nm]の光学ハイパス・フィルタ（赤透過フィルタ）が設けられている。さらに、光センサ３２の受光部には、カット波長が490[nm]の光学ハイパス・フィルタとカット波長が590[nm]の光学ローパス・フィルタとが積層された光学フィルタ（緑透過フィルタ）が設けられている。このような構成により、色の３原色である青、赤、緑の各波長の光の強度を測定することができる。
【００２３】
ここで、超高圧水銀ランプはその水銀圧力により発光スペクトルが異なる。よって、波長が異なる２以上の光の強度を測定し、その比を求めることによって、そのランプが所定のランプであるか否かを判別することができる。特に、407[nm]、436[nm]、546[nm]、578[nm]の各波長において、水銀圧力による光強度変化が顕著に現れる。よって、これら特定波長光の強度と、他の波長光の強度との比は、ランプを判別するマーカーとして特に有効である。
【００２４】
本例では、光センサ３１によって、波長436[nm]の光（第１波長光）の強度が測定される。また、光センサ３２によって、波長546[nm]の光（第２波長光）および波長578[nm]の光（第３波長光）の強度がそれぞれ測定される。また、光センサ３３によって、波長が590[nm]以上の水銀圧力に依存しない波長領域の光（第４波長光）の強度が測定される。そして、各光センサ３１、３２、３３の測定結果は判別部４０に入力される。
【００２５】
判別部４０は、入力された各光センサ３１、３２、３３の測定結果と、記憶部４１に記憶されている基準値とを比較する。具体的には、第４波長光の強度に対する第１波長光〜第３波長光の強度の比をそれぞれ求め、求められた強度比を記憶部４１に記憶されている基準値と比較する。基準値とは、所定のランプ（本例では、当該投写型表示装置が工場から出荷される際に装着される超高圧水銀ランプ）から発せられる第４波長光の強度に対する第１波長光〜第３波長光の強度の比を示す値である。従って、測定結果に基づいて求められた強度比が基準値と一致すれば、現在装着されているランプは、工場出荷時に装着されていた超高圧水銀ランプと同一の水銀圧力を有する超高圧水銀ランプであると推測される。一方、測定結果に基づいて求められた強度比が基準値と一致しなければ、現在装着されているランプは、工場出荷時に装着されていた超高圧水銀ランプとは異なる水銀圧力を有するランプであると推測される。
【００２６】
そこで、判別部４０は、測定結果に基づいて求められた強度比が基準値と一致しない場合には、ファン制御部４２に所定信号を出力する。該信号が入力されたファン制御部４２は、光源冷却ファン２３（図２）の回転数が上昇するように、光源冷却ファン２３の駆動原（モータ４３）を制御する。もっとも、測定結果に基づいて求められた強度比が基準値と一致しない場合に、判定部４０からの信号出力が停止されるように構成することもできる。この場合、ファン制御部４２は、信号入力が途絶えたことをトリガとして、光源冷却ファン２３の回転数が上昇するように、モータ４３を制御する。本例では、光源冷却ファン２３として、外形50[mm]のシロッコファンが用いられている。このシロッコファンは、モータ４３への印加電圧を変化させることによって回転数を調整可能であり、回転数に応じて送風量が変化する。ファン制御部４２は、通常、モータ４３に8.0[V]の電圧を印加し、光源冷却ファン２３を回転数4200[rpm]で動作させる。一方、所定信号が入力されるか、所定信号の入力が途絶えると、印加電圧を12[V]に上昇させ、光源冷却ファン２３を回転数5700[rpm]で動作させる。これにより、図２に示すダクト２８を介して光源ユニット２１に供給される冷却風の量が増大し、ランプがより強く冷却される。尚、モータ４３への印加電圧を最大値（本例では13.8[V]）に上昇させると、回転数は6300[rpm]となり、冷却効果がさらに向上する。
【００２７】
以上のように、工場出荷時に装着されていた超高圧水銀ランプと異なるランプが装着されると、光源冷却ファン２３の回転数が自動的に上昇する。この結果、冷却風の風量が増加し、ランプがより強く冷却され、ランプの冷却不足が回避される。
【００２８】
尚、色分離手段よりも後段に光源センサ３０を配置する場合には、該光源センサ３０は、光センサ３１、３２、３３のいずれか一つを備えていれば足り、その光センサに上記波長選択フィルタを設ける必要もない。何故なら、ＤＭＤ素子には、色分離手段によって時分割で色分離された青、緑、赤、透明の各色光が順次照射される。よって、色分離手段による色分離のタイミングと同期させて光強度を測定し、その結果を記憶しておけば、一つの光センサによって、青、緑、赤、透明の各色光の強度を測定することができる。もっとも、色分離手段とＤＭＤ素子との間の光路上に光センサを配置すると、該光センサによって照明光の一部が遮られ照明効率が低下する。ここでＤＭＤ素子は、その原理上、投写レンズに入射しスクリーン上に像を結ぶ光（オン光）と、投写レンズに入射しない不要な光（オフ光）とを作り出す。そして、オフ光についても上記各色光が順次切り替わる。従って、オフ光が照射される位置（例えば、オフ光遮蔽板の内面）に、光センサを配置すれば、照明効率を低下させることなく、一つの光センサで各色光の強度を測定することができる。
【００２９】
尚、上記色分離手段としては、カラーホイールが用いられるのが一般的である。カラーホイールは、青、緑、赤、透明の４つのカラーフィルタを備えており、これらカラーフィルタがＤＭＤ素子に照射される光の光路を順次横切るように回転することによって光を時分割分離する。
（実施形態２）
以下、本発明の投写型表示装置の実施形態の他例について説明する。本例の投写型表示装置は、実施形態１の投写型表示装置と基本的構成を共通する。よって、共通する構成については説明を省略し、異なる構成についてのみ以下に説明する。
【００３０】
図６（ａ）に示すように、本例の投写型表示装置では、光源センサ３０が光学ユニット２１のリフレクタの外面上であって、かつ、ランプから発せられた光が直接入射することのない位置に配置されている。ここで、リフレクタはコールドミラーであり、可視光線は反射するが、赤外線あるいは紫外線は透過させる特性を有する。この反射/透過特性は、リフレクタの内面に設けられた反射膜の特性あるいはリフレクタの素材に依存する。例えば、同じ220[W]の超高圧水銀ランプを用いた場合であっても、リフレクタが異なると、リフレクタを透過した光の紫外領域および赤外領域における光強度は異なる。即ち、本例における光源センサ３０は、ランプから発せられ、リフレクタというフィルタを透過した光の強度を測定することになる。
【００３１】
具体的には、光センサ３１の受光部には、カット波長が450[nm]の光学ローパス・フィルタ（紫外線透過フィルタ）が設けられている。光センサ３３の受光部には、カット波長が700[nm]の光学ハイパス・フィルタ（赤外線透過フィルタ）が設けられている。光センサ３２の受光部には、カット波長が450[nm]の光学ハイパス・フィルタとカット波長が700[nm]の光学ローパス・フィルタと積層フィルタ（可視光透過フィルタ）が設けられている。よって、各光センサ３１、３２、３３によって測定された光強度を基準値と比較することにより、ランプ又は／及びリフレクタが所定のものであるか否かを判別することができる。判別方法は、実施形態１と基本的に同様であり、光センサの測定結果を記憶部４１（図５）に記憶されている基準値と比較する。但し、ここでの基準値は、所定のランプ（本例では、当該投写型表示装置が工場から出荷される際に装着される超高圧水銀ランプ）から発せられ、所定のリフレクタ（本例では、当該投写型表示装置が工場から出荷される際に装着されるリフレクタ）を透過した光の紫外線、赤外線および可視光線の強度を示す値である。
【００３２】
以上の構成を有する本例の投写型表示装置では、ランプばかりでなく、リフレクタが所定のリフレクタであるか否かも判別可能であり、ランプ及び／又はリフレクタが所定のもの以外である場合、光源冷却ファン２３の回転数が自動的に上昇する。尚、これまでの説明より、光源センサ３０は、リフレクタの外面に密着していても、密着していなくてもよいことは容易に理解できる。即ち、光源センサ３０は、ランプから発せられ、リフレクタを透過した光が入射可能な位置に配置されていればよい。例えば、図６（ｂ）に示すように、リフレクタの周囲に配置されている部材５０に開口部５１を形成し、この開口部５１を塞ぐよう光源センサ３０を配置してもよい。部材５０は、光源センサ３０を設置するために特別に設ける必要はなく、光源ユニット２１を保護するために設けられた部材や光源ユニット２１を固定するために設けられた部材などを利用することができる。
（実施形態３）
以下、本発明の投写型表示装置の実施形態の他例について説明する。本例の投写型表示装置は、実施形態１の投写型表示装置と基本的構成を共通する。よって、共通する構成については説明を省略し、異なる構成についてのみ以下に説明する。
【００３３】
図７に示すように、本例の投写型表示装置を構成している光源ユニット２１のランプハウジングには、磁石６０が埋め込まれている。また、オプトベース２２には、ガラス管内に可動接点を収容してなるリードスイッチ６１が設けられている。リードスイッチ６１は、光源ユニット２１がオプトベース２２の収容部２２ａに収容された際に、磁石６０と対向する位置あるいはその近傍に設けられている。
【００３４】
以上の構成を有する本例の投写型表示装置では、光源ユニット２１がオプトベース２２に装着されると、磁石６０の磁力の作用によってリードスイッチ６１の可動接点が変位し、スイッチがオンする（導通状態となる）。一方、オプトベース２２に装着された光源ユニットが磁石を備えていない場合には、リードスイッチ６１がオンされることはなく、非導通状態が維持される。そこで、判別部４０（図５）は、リードスイッチ６１がオン状態のときには、現在装着されているランプが工場出荷時に装着されるランプと同一のランプであると判断し、リードスイッチ６１がオフ状態のときには、現在装着されているランプが工場出荷時に装着されるランプとは異なるランプであると判断する。さらに、ファン制御部４２は、現在装着されているランプが工場出荷時に装着されるランプと同一のランプであると判断された場合には光源冷却ファン２３を通常どおり作動させ、工場出荷時に装着されるランプとは異なるランプであると判断された場合には、光源冷却ファン２３の回転数を上昇させる。
（実施形態４）
以下、本発明の投写型表示装置の実施形態の他例について説明する。本例の投写型表示装置は、実施形態１の投写型表示装置と基本的構成を共通する。よって、共通する構成については説明を省略し、異なる構成についてのみ以下に説明する。
【００３５】
図８に示すように、本例の投写型表示装置を構成している光源ユニット２１のランプハウジングには、ＩＣチップ７０が埋め込まれている。また、オプトベース２２には、光源ユニット２１が装着されたときに、ＩＣチップ７０と接触する読み出し部７１が設けられている。
【００３６】
以上の構成を有する本例の投写型表示装置では、光源ユニット２１がオプトベース２２に装着されると、ＩＣチップ７０に書き込まれている識別情報が読み出し部７１を介して読み出され、判別部４０（図５）に入力される。判別部４０は、入力された識別情報と記憶部４２に記憶されている識別情報とを照合し、それらが一致した場合には、現在装着されているランプが工場出荷時に装着されるランプと同一のランプであると判断し、不一致の場合には、現在装着されているランプが工場出荷時に装着されるランプとは異なるランプであると判断する。判別部４０による判別結果に基づく光源冷却ファン２３の制御に関しては、実施形態３と同一である。
【００３７】
これまでは、ランプが超高圧水銀ランプである場合を例にとって本発明の実施形態の一例について説明した。これは、投写型表示装置の光源として超高圧水銀ランプが最も普及しているからであり、本発明の適用範囲が超高圧水銀ランプを光源とする投写型表示装置に限定されることを示唆するものではない。本発明は、キセノンランプその他のランプを光源とする投写型表示装置にも適用可能である。
【００３８】
また、これまでは空冷式の冷却手段を例にとって本発明の実施形態の一例について説明した。しかし、冷却手段は液冷式であってもよい。さらには、空冷式と液冷式の併用する冷却手段を備えてもよい。
【００３９】
また、これまでは画像形成素子がＤＭＤ素子である場合を例にとって本発明の実施形態の一例について説明した。しかし、画像形成素子は、ＤＭＤ素子に限られず、液晶パネルその他であってもよい。
【図面の簡単な説明】
【００４０】
【図１】本発明の投写型表示装置の実施形態の一例を示す平面図である。
【図２】図１の光学エンジンとその周辺に配置される機構部品の一部を示す拡大図である。
【図３】光源ユニットがオプトベースに装着される様子を示した側面図である。
【図４】光源センサの配置を示す側面図である。
【図５】判別手段の構成例を示すブロック図である。
【図６】本発明の投写型表示装置の実施形態の他例を示す部分拡大側面図である。
【図７】本発明の投写型表示装置の実施形態の他例を示す部分拡大側面図である。
【図８】本発明の投写型表示装置の実施形態の他例を示す部分拡大側面図である。
【符号の説明】
【００４１】
１０  筐体
２０  光学エンジン
２１  光源ユニット
２２  オプトベース
２３  光源冷却ファン
２４  光学素子
２５  画像形成素子
２６  投写レンズ
２７  オフ光遮蔽板
２８  ダクト
３０  光源センサ
３１、３２、３３  光センサ
４０  判別部
４１  記憶部
４２  ファン制御部
４３  モータ
５０  部材
６０  磁石
６１  リードスイッチ
７０  ＩＣチップ
７１  読み出し部
【図１】
2007286550.tif 000003
【図２】
2007286550.tif 000004
【図３】
2007286550.tif 000005
【図４】
2007286550.tif 000006
【図５】
2007286550.tif 000007
【図６】
2007286550.tif 000008
【図７】
2007286550.tif 000009
【図８】
2007286550.tif 000010